【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
天井スラブ等に固定されているアンカーに、吊りボルトを介在させて間接的に、又は吊りボルトを介在させることなく直接的に、バンド取付部が固着される配管用吊りバンドにおいて、
バンドが弾性を有する材料によって形成されており、
バンドの下半部に、バンドの両端を折り曲げて形成した折曲部が設けられており、
この折曲部の夫々に透孔が設けられており、
この透孔に、バンドの締め付け機構が設けられており、
このバンドの締め付け機構を作用させないときは、前記取付部を基準に、バンドが開放されたり、閉鎖されたりすることができる構成であることを特徴とする配管用吊りバンドであって、前記バンドの折曲部及び締め付け機構が、前記環状の下端部と左側端部との中間又は右側端部との中間に設けられており、且つ前記環状の下端部に接する水平線と環状の左側端部又は右側端部に接する垂直線とバンドの環状部とによって形成される空間部の内側に設けられていることを特徴とする配管用吊りバンド。
【請求項２】
取付部が、バンドの略中央部を上方に突出させた突出部によって形成されており、
この突出部から成る取付部に、アンカーに螺合させるボルトを挿通するための透孔が設けてあることを特徴とする請求項１に記載の配管用吊りバンド。
【請求項３】
バンドが、左・右に分離された２部材から形成されており、
取付部が、左・右に分離されたバンドの上端を折り曲げた折曲部によって形成されており、
この折曲部から成る取付部の各々に、アンカーから垂下された吊りボルトに螺合されターンバックルに固着させるボルトを挿通するための透孔が設けてあることを特徴とする請求項１に記載の配管用吊りバンド。
【請求項４】
バンドの締め付け機構が、ボルトとナットから成ることを特徴とする請求項１〜３のいずれかに記載の配管用吊りバンド。
【請求項５】
ボルトがバンドの折曲部から脱落するのを防止する機構を備えていることを特徴とする請求項４に記載の配管用吊りバンド。
【請求項６】
ナットがバンドの折曲部から脱落するのを防止する機構を備えていることを特徴とする請求項４に記載の配管用吊りバンド。
【請求項７】
バンドの一方の折曲部にナットを緩やかなカシメ止め・鍔部等により回動自在に固定すると共に、他方の折曲部にボルトをボルト固定手段により固いカシメ止め・溶接・接着等により回動不能に固定したことを特徴とする請求項４に記載の配管用吊りバンド。
【請求項８】
バンドの一方の折曲部にナットを固いカシメ止め・溶接・接着等により固定すると共に、他方の折曲部にボルトをボルト固定手段により回動自在に固定したことを特徴とする請求項４に記載の配管用吊りバンド。
【手続補正２】
【補正対象書類名】明細書
【補正対象項目名】００１５
【補正方法】変更
【補正の内容】
【００１５】
１．天井スラブ等に固定されているアンカーに、吊りボルトを介在させて間接的に、又は吊りボルトを介在させることなく直接的に、バンド取付部が固着される配管用吊りバンドにおいて、
バンドが弾性を有する材料によって形成されており、
バンドの下半部に、バンドの両端を折り曲げて形成した折曲部が設けられており、
この折曲部の夫々に透孔が設けられており、
この透孔に、バンドの締め付け機構が設けられており、
このバンドの締め付け機構を作用させないときは、前記取付部を基準に、バンドが開放されたり、閉鎖されたりすることができる構成であることを特徴とする配管用吊りバンドであって、前記バンドの折曲部及び締め付け機構が、前記環状の下端部と左側端部との中間又は右側端部との中間に設けられており、且つ前記環状の下端部に接する水平線と環状の左側端部又は右側端部に接する垂直線とバンドの環状部とによって形成される空間部の内側に設けられていることを特徴とする配管用吊りバンド。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
４．バンドの締め付け機構が、ボルトとナットから成ることを特徴とする上記１〜３のいずれかに記載の配管用吊りバンド。
【手続補正９】
【補正対象書類名】明細書
【補正対象項目名】００２４
【補正方法】変更
【補正の内容】
【００２４】
５．ボルトがバンドの折曲部から脱落するのを防止する機構を備えていることを特徴とする上記４に記載の配管用吊りバンド。
【手続補正１０】
【補正対象書類名】明細書
【補正対象項目名】００２５
【補正方法】変更
【補正の内容】
【００２５】
６．ナットがバンドの折曲部から脱落するのを防止する機構を備えていることを特徴とする上記４に記載の配管用吊りバンド。
【手続補正１１】
【補正対象書類名】明細書
【補正対象項目名】００２６
【補正方法】変更
【補正の内容】
【００２６】
７．バンドの一方の折曲部にナットを緩やかなカシメ止め・鍔部等により回動自在に固定すると共に、他方の折曲部にボルトをボルト固定手段により固いカシメ止め・溶接・接着等により回動不能に固定したことを特徴とする上記４に記載の配管用吊りバンド。
【手続補正１２】
【補正対象書類名】明細書
【補正対象項目名】００２７
【補正方法】変更
【補正の内容】
【００２７】
８．バンドの一方の折曲部にナットを固いカシメ止め・溶接・接着等により固定すると共に、他方の折曲部にボルトをボルト固定手段により回動自在に固定したことを特徴とする上記４に記載の配管用吊りバンド。
【手続補正１３】
【補正対象書類名】明細書
【補正対象項目名】００２９
【補正方法】変更
【補正の内容】
【００２９】
先ず、図１〜図４に示す第１参考例について説明する。
【手続補正１４】
【補正対象書類名】明細書
【補正対象項目名】００３０
【補正方法】変更
【補正の内容】
【００３０】
この第１参考例は、ステンレス等の薄板状金属や軟質合成樹脂のような弾性を有する材料によって帯状のバンド１０を環状に形成し、バンド１０の頂部に、天井に設けられたアンカー２１に螺合するためのボルトを挿入するための透孔１１を有する取付部１２を用意する。そして、バンド１０の開放端部に折曲部１３・１３を設けて夫々にボルト１４を挿入するための透孔を設け、ボルト１４、ナット１５を配設する構成である。このボルト１４とナット１５とがバンド１０の締め付け機構を成すものであり、この締め付け機構と折曲部１３は環状バンド１０の下端部に設けられている。
【手続補正１５】
【補正対象書類名】明細書
【補正対象項目名】００３６
【補正方法】変更
【補正の内容】
【００３６】
脱落防止機構の例としては、ボルトのみを脱落防止とした構成（請求項５）、ナットのみを脱落防止とした構成（請求項６）、ボルトとナットを共に脱落防止とした構成であって且つナットを揺るやかなカシメ止め・鍔部等により回動自在に固定すると共にボルトをボルト固定手段により固いカシメ止め・溶接・接着等により回動不能に固定した構成（請求項７）、ボルトとナットを共に脱落防止とした構成であって且つナットを固いカシメ止め・溶接・接着等により固定すると共にボルトをボルト固定手段により回動自在に固定した構成（請求項８）などが挙げられる。
【手続補正１６】
【補正対象書類名】明細書
【補正対象項目名】００３７
【補正方法】変更
【補正の内容】
【００３７】
図３は、ボルトを脱落防止機構とした５つの例を示す。即ち、図３は、ボルト１４をバンド１０の一方の折曲部１３に固定し、ナット１５を外しても脱落しないようにした構成である。具体的に説明すると、ボルト１４の頭部をバンド１０の折曲部１３にカシメ止めする態様（図３−Ａ参照、この態様は、ボルト１４が空回りしないよう強くカシメ止めする態様を含む。）、バンド１０の折曲部１３をボルト１４の頭部とボルト１４に係合するクリップなどの止め具により鋏込んでナット１５を外したボルト１４が脱落しないようにする態様（図３−Ｂ参照）、ボルト１４をバンドの折曲部に溶接又は接着する態様（図３−Ｃ参照）、ボルト１４の頭部の方をバンド１０の折曲部１３に溶接又は接着する態様（図３Ｒ＞３−Ｄ参照）、本来のナット１５とは別に薄い肉厚のナットでボルト１４を固定する態様（図３−Ｅ参照）、などが挙げられる。これらの態様のうち、図３−Ａに示すカシメ止めによる固定、図３−Ｂに示すクリップなどの止め具による固定、及び図３−Ｅに示す薄ナットによる固定の２態様の場合、固く固定すれば回動不能となり、緩やかな固定とすれば回動自在となるので、請求項７及び請求項８のいずれにも対応することができる。
【手続補正１７】
【補正対象書類名】明細書
【補正対象項目名】００３９
【補正方法】変更
【補正の内容】
【００３９】
以上説明した本発明に係る配管用吊りバンドの第１参考例では、弾性を有する材料によって一枚の帯状の部材を環状に形成してバンド１０と成し、頂部にボルトなどを挿入するための透孔１１を有する取付部１２を用意した構成を有しているが、本発明はこれに限らず、上記取付部１２に替え、天井等のアンカーから垂設された吊りボルトに取り付けられたターンバックルに、ボルト・ナットにより吊り下げ固定するような取付機構を採ることもできる。この態様の場合、弾性材料によって、左・右一対の帯状のバンド１０を環状に形成し、左・右一対のバンドの上端を折り曲げると共に透孔を設けてターンバックルの脚部への取付部と成し、夫々のバンドの下端部に折曲部１３・１３を形成した構成となる。ターンバックル及びバンド１０の取付部については、後述する図１０に示すターンバックル２４及びバンド１０の取付部１７と同様である。
【手続補正１８】
【補正対象書類名】明細書
【補正対象項目名】００４０
【補正方法】変更
【補正の内容】
【００４０】
次に、第２参考例について図５に基き説明する。
【手続補正１９】
【補正対象書類名】明細書
【補正対象項目名】００４１
【補正方法】変更
【補正の内容】
【００４１】
図５に示す第２参考例は、上記説明した第１参考例では環状バンド１０の下端部に設けられていた締め付け機構を、環状のバンド１０の左側端部に設けるものである。尚、この第２参考例の場合、締め付け機構の位置は図５に示すバンド１０の左側端部に限らず、右側端部であってもよい。配管位置や並設する他の配管・配線類の状況等に応じて適宜決めることができる。
【手続補正２０】
【補正対象書類名】明細書
【補正対象項目名】００４２
【補正方法】変更
【補正の内容】
【００４２】
この第２参考例においても前記第１参考例と同様の脱落防止機構（請求項４〜８、図３及び４）を採用することができる。更に取付部１２についても前記第１参考例と同様に後述する図１０に示すターンバックル２４及び取付部１７を構成することができる。
【手続補正２１】
【補正対象書類名】明細書
【補正対象項目名】００４３
【補正方法】変更
【補正の内容】
【００４３】
次に、請求項１に示す第１実施例について図６〜図９に基き説明する。
【手続補正２２】
【補正対象書類名】明細書
【補正対象項目名】００４４
【補正方法】変更
【補正の内容】
【００４４】
図６は本発明に係る配管用吊りバンドの第１実施例を示す５面図（正面・左右側面・平面・底面の各図）、図７はバンドの締め付け機構を示す拡大断面図、図８は配管の取付状態を示す正面図（一部分は断面図）、図９は施工完成状態を示す正面図（一部分は断面図）である。
【手続補正２３】
【補正対象書類名】明細書
【補正対象項目名】００４５
【補正方法】変更
【補正の内容】
【００４５】
この第１実施例は、ボルト１４とナット１５とからなる締め付け機構は折曲部１３からの脱落防止構成を有している。即ち、図７に示すように、ボルト１４に取り付けたボルト脱落防止用クリップ１６と、ナット１５をカシメ止めした構成を採用している。尚、この第１実施例においても前述した第１参考例及び第２参考例と同様の構成、即ち、通常のボルト・ナットによる締め付け、脱落防止機構（請求項４〜８、図３及び４）を備えた締め付け部を採用することができる。
【手続補正２４】
【補正対象書類名】明細書
【補正対象項目名】００４６
【補正方法】変更
【補正の内容】
【００４６】
図６に示すように、この第１実施例の特徴は、折曲部１３及び締め付け機構（ボルト１４とナット１５とから成る。）が、環状のバンド１０の下端部と左側端部（又は右側端部）との中間に設けられており、且つ前記環状のバンド１０の下端部に接する水平線Ｘと環状のバンド１０の左側端部に接する垂直線Ｙ（又は右側端部に接する垂直線Ｙ’）とバンド１０の環状部とによって形成される空間部の内側に設けられていることである。
【手続補正２５】
【補正対象書類名】明細書
【補正対象項目名】００５１
【補正方法】変更
【補正の内容】
【００５１】
以上説明した本発明に係る配管用吊りバンドの第１実施例では、弾性材料によって、一枚の帯状の部材を環状にしてバンド１０を形成し、頂部にボルトなどを挿入するための透孔１１を有する取付部１２を用意した構成を有しているが、本発明はこれに限らず、図１０に示すように、取付部１２に替え、天井のアンカーから垂設された吊りボルト２３に取り付けられたターンバックル２４に、ボルト２５・ナット２６により吊り下げ固定するような取付構成を採ることもできる。この態様の場合、弾性材料によって、左・右一対の帯状のバンド１０・１０を環状に形成し、左・右のバンド１０・１０の上端を折り曲げると共に透孔を設けてターンバックル２４の脚部への取付部１７・１７と成し、夫々のバンド１０・１０の左又は右斜め下に位置する端部に折曲部１３・１３を形成した構成となる。
【手続補正２６】
【補正対象書類名】明細書
【補正対象項目名】００５２
【補正方法】変更
【補正の内容】
【００５２】
【発明の効果】
本発明に係る第１及び第２参考例の配管用吊りバンドによれば、天井に近接した配管位置であっても、簡単な作業で配管を行うことができ、ナットを外してもボルトが脱落することがないので使い勝手がよく、また、弾性材料によって、帯状のバンドを環状に成形して、端部に折曲部を、中央部に取付部を設けるだけでよいので、二つのバンドをヒンジ機構などで連結する構造（図１１、図１２参照）と比較し、製造が簡単であり、安価に製造できるメリットがある。
【手続補正２７】
【補正対象書類名】明細書
【補正対象項目名】００５３
【補正方法】変更
【補正の内容】
【００５３】
本発明の第１実施例によれば、折曲部及び締め付け機構を、バンドの下端部に接する水平線と環状の左側端部又は右側端部に接する垂直線より内側に設けた構成としたので、バンドの側方や下方への突出部分が無くなり、配管部位において側方や下方に空間的余裕が少ない場合であっても配管可能であり、しかも配管下方や側方での作業時に突出部分に頭や肩などをぶつけたりする等の事故も防止できる。従って、配管の側方や下方に空間的余裕が少ない場合であっても配管可能であり、且つ作業時の安全性も考慮された配管用吊りバンドを提供することができる。
【手続補正２８】
【補正対象書類名】明細書
【補正対象項目名】図面の簡単な説明
【補正方法】変更
【補正の内容】
【図面の簡単な説明】
【図１】本発明に係る配管用吊りバンドの第１参考例を示す５面図（正面・左右側面・平面・底面の各図）
【図２】上記第１参考例の使用状態を示す一部断面図
【図３】ボルトの脱落防止機構の５つの例を示す部分正面図
【図４】ナットの脱落防止機構の２つの例を示す要部断面図
【図５】本発明に係る配管用吊りバンドの第２参考例を示す正面図
【図６】本発明に係る配管用吊りバンドの第１実施例を示す５面図面図（正面・左右側面・平面・底面の各図）
【図７】上記第１実施例に示される配管吊りバンドによるバンドの締め付け機構を示す拡大断面図
【図８】上記第１実施例に示される配管吊りバンドによる配管の使用状態を示す正面図（一部分は断面図）
【図９】上記第１実施例に示される配管吊りバンドによる配管支持状態（施工完成）を示す正面図（一部分は断面図）
【図１０】本発明に係る配管用吊りバンドの第１実施例の他の態様の使用状態（施工完成）を示す正面図（一部分は断面図）
【図１１】従来製品の１例を示す正面図
【図１２】従来製品の他例を示す正面図（一部分は断面図）
【符号の説明】
１０  バンド
１１  透孔
１２  取付部
１３  折曲部
１４  ボルト
１５  ナット
１６  ボルト脱落防止用クリップ
１７  取付部
２０  ボルト
２１  アンカー
２２  配管
２３  吊りボルト
２４  ターンバックル
２５  ボルト
２６  ナット